(57)【特許請求の範囲】
【請求項１】
撮影レンズからの光束をスクリーンを通してペンタプリズムに導き、該ペンタプリズム内を反射させてその背面側に設けられた測光用レンズとフィルターとを介して受光素子ユニットの受光面に導き測光を行う１眼レフレックスカメラの前記スクリーンに前記受光面を投影し、該スクリーンに投影された前記受光面の受光面像を前記撮影レンズを通して確認しながら前記スクリーンに対する前記受光素子ユニットの位置調整が行われる１眼レフレックスカメラの測光装置であって、
前記フィルターを前記受光素子の前面に装着する前に前記スクリーンに対する前記受光面の位置調整を行って前記受光素子ユニットの位置調整後に前記フィルターを装着するためのフィルター抜き差し用ガイド部材が前記ペンタプリズムの背面側の射出面に設けられていることを特徴とする１眼レフレックスカメラの測光装置。
【請求項２】
前記フィルターが前記ペンタプリズムの射出面と前記測光用レンズとの間に配置されていることを特徴とする請求項１に記載の１眼レフレックスカメラの測光装置。
【発明の詳細な説明】
【０００１】
【産業上の利用分野】
本発明は１眼レフレックスカメラの測光装置に関するものである。
【０００２】
【従来の技術】
従来から、１眼レフレックスカメラの測光装置には、図３に示すように、ペンタプリズム１の射出面１ａの後方に測光用レンズ２を設けるとともに、スポット測光、分割測光等のための受光素子ユニット３を設け、この受光素子ユニット３の表面３ａを照明し、測光用レンズ２を介してフィルム４と共役なスクリーン５上に受光素子ユニット３の受光面像を投影し、クイックリターンミラー７、撮影レンズ８を介してＣＣＤカメラ９によりスクリーン５の枠像５ａと受光面像とを撮像し、スクリーン５の枠像５ａと受光面像６とをモニタ１０の画面上１０ａに表示し、このモニタ画面１０ａを見つつ受光面像６の中心Ｏ１，すなわち、受光素子ユニット３の受光チップ１１の受光面中心とスクリーン５の枠像５ａの中心Ｏ２とが合致するように受光素子ユニット３の位置調整を行うようにしたものが知られている。
【０００３】
【発明が解決しようとする課題】
しかしながら、従来の測光装置では、受光素子ユニット３の受光チップ１１の前面に視感度補正用、赤外カット用又は分光感度分布調整用のフィルター１２が設けられることがあり、これらのフィルター１２に濃度の高いフィルターが用いられていると、スクリーン５に投影された受光面像６が暗く、それでなくとも暗い受光面像６であるので、ＣＣＤカメラ９によりその暗い受光面像６が撮像され、モニタ画面１０ａでの受光面像６が見ずらく、受光面像６とスクリーン５との中心位置合わせが困難となり、受光素子ユニット３の位置調整が正確かつ迅速にできないという問題がある。受光素子ユニット３の位置調整の際に受光素子ユニット３を強く照明することが考えられるが、照明光が強すぎると受光素子ユニット３に熱的ダメージを与えるおそれがあり、感度の高いＣＣＤカメラ９を用いて撮像することも考えられるが、感度の高いＣＣＤカメラ９を用いることにすると組立調整コストが増大する。
【０００４】
本願発明は、濃度の高いフィルターを受光素子ユニットの前面に設ける場合であっても、正確かつ容易にスクリーンに対する受光素子ユニットの位置調整を行うことができ、受光素子ユニットの位置調整作業の作業効率を図ることのできる１眼レフレックスカメラの測光装置を提供することを目的とする。
【０００５】
【課題を解決するための手段】
この目的を達成するために、請求項１に記載の１眼レフレックスカメラの測光装置は、撮影レンズからの光束をスクリーンを通してペンタプリズムに導き、該ペンタプリズム内を反射させてその背面側に設けられた測光用レンズとフィルターとを介して受光素子ユニットの受光面に導き測光を行う１眼レフレックスカメラの前記スクリーンに前記受光面を投影し、該スクリーンに投影された前記受光面の受光面像を前記撮影レンズを通して確認しながら前記スクリーンに対する前記受光素子ユニットの位置調整が行われる１眼レフレックスカメラの測光装置であって、
前記フィルターを前記受光素子の前面に装着する前に前記スクリーンに対する前記受光面の位置調整を行って前記受光素子の位置調整後に前記フィルターを装着するためのフィルター抜き差し用ガイド部材が前記ペンタプリズムの背面側の射出面に設けられていることを特徴とする。
【０００６】
請求項２に記載の１眼レフレックスカメラの測光装置は、前記フィルターが前記ペンタプリズムの射出面と前記測光用レンズとの間に配置されていることを特徴とする。
【０００７】
【発明の実施の形態】
図１は本発明に係る測光装置のスクリーンに対する調整を説明するための説明図であって、２１はカメラボックス、２２は撮影レンズ、２３はペンタプリズム、２４はクイックリターンミラー、２５はスクリーン、２６はフィルム、２７はＣＣＤカメラ、２８はモニタである。
【０００８】
ペンタプリスム２３の背面側にはファインダー光学系２９が設けられており、このファインダー光学系２９の上方に測光装置３０が設けられている。測光装置３０は測光レンズ３１と受光素子ユニット３２とから概略構成されている。
【０００９】
受光素子ユニット３２内には、図２（ａ）、（ｂ）に拡大して示すように受光チップ３３が設けられており、受光チップ３３は、ここでは６分割測光用とされている。受光ユニット３２の表面に照明光を照射することによりモニタ２８のモニタ画面２８ａに受光面像３２ａが映し出される。その受光面像３２ａは第１ゾーン３３ａ〜第６ゾーン３３ｆからなっている。
【００１０】
ペンタプリズム２３の射出面２３ａには抜き差し用ガイド部材３４が設けられている。この抜き差し用ガイド部材３４は測光装置３０とペンタプリズム２３の間に位置している。抜き差し用ガイド部材３４の内側にはフィルター挿入溝３４ａが設けられており、このフィルター挿入溝３４ａに沿ってフィルター３５が差し込まれる。この抜き差し用ガイド部材３４の左右側上部には切欠き部３４ｂ、３４ｃが設けられており、フィルター３５の差し込みを容易にしている。
【００１１】
受光ユニット３２からの反射光は測光レンズ３１を介して、抜き差し用ガイド部材３４の中央部３６を通ってペンタプリズム２３に入射し、受光面像が、フィルム２６と共役のスクリーン２５に投影される。スクリーン２５に投影された受光面像は、カメラボックス２１内のクイックリターンミラー２４を介して撮影レンズ２２を通り、ＣＣＤカメラ２７により読み取られて、モニタ２８に映し出される。
【００１２】
これにより、モニタ２８のモニタ画面２８ａにはスクリーン２５の枠像２５ａと受光素子ユニット３２の受光面像３２ａが表示される。
【００１３】
抜き差し用ガイド部材３４にフィルター３５が差し込まれない状態で受光素子ユニット３２に照明光を当てると、スクリーン２５の枠像２５ａと共に受光素子ユニット３２の受光面像３２ａが鮮明に表示されるため、受光面像３２ａの中心Ｏ１、すなわち受光面像３２ａの中心とスクリーン２５の枠像２５ａ内の中心Ｏ２とを容易に一致させることが可能であり、正確な位置合わせを行うことができる。濃度の高いフィルターを用いて位置合わせを行う場合にも、フィルター３５を抜き差し用ガイド部材３４に差し込む前に正確な位置合わせを行い、この位置合わせ終了後に、濃度の高いフィルター３５を差し込むことにより正確な位置決めを行うことが可能となる。ここでは、抜き差し用ガイド部材３４をペンタプリズム２３と測光レンズ３１との間に設けて、測光レンズ３１の前に抜き差し用ガイド部材３４を位置させているので、位置調整を行った後にフィルター３５を差し込んだとしてもフィルター３５の存在によるピント移動を無視することができる。また、フィルター３５の抜き差し作業を容易に行うことができるため、作業効率の向上を図ることができる。
【００１４】
【発明の効果】
本発明に係る測光装置は以上説明したように、フィルターをペンタプリズムと測光用レンズとの間に抜き差し可能に配置したので、濃度の高いフィルターを設ける場合であっても、正確かつ容易に受光素子ユニットの位置調整を行うことができるとともに、フィルターのセット作業が容易にでき、作業効率が向上する。また、フィルターの配設位置を測光用レンズの手前としたので、フィルターを後から差し込んでもフィルターの存在によるピント移動を無視できる。
【図面の簡単な説明】
【図１】  本発明に係る１眼レフレックスカメラの測光装置のスクリーンに対する位置調整を説明するための説明図である。
【図２】  本発明に係る１眼レフレックスカメラの測光装置の要部拡大図を示し、（ａ）は要部背面図、（ｂ）は要部断面図である。
【図３】  従来の１眼レフレックスカメラの測光装置のスクリーンに対する位置調整を説明するための説明図である。
【符号の説明】
２３…ペンタプリズム
２５…スクリーン
３０…測光装置
３１…測光レンズ
３２…受光素子ユニット
３４…抜き差し用ガイド部材
３５…フィルター
【図１】
0003831519.tif 000002
【図２】
0003831519.tif 000003
【図３】
0003831519.tif 000004